(57)【特許請求の範囲】
【請求項１】
プラグインシュレータ、及び、該プラグインシュレータに支持したプラグコンタクト、を有するプラグコネクタと、
該プラグコネクタが直線的な挿脱方向に移動することにより挿脱可能な差込溝を有するリセプタクルインシュレータ、及び、上記差込溝に上記プラグコネクタが挿入したときに上記プラグコンタクトと接触する、上記リセプタクルインシュレータに支持したリセプタクルコンタクト、を有するリセプタクルコネクタと、
を備えたコネクタにおいて、
上記プラグコンタクトと上記リセプタクルコンタクトの一方が、上記差込溝に上記プラグコネクタが挿入したときに他方のコンタクトと接触する接触部を備え、
上記他方のコンタクトが、上記接触部側に突出しながら上記挿脱方向に沿って延び、上記差込溝に上記プラグコネクタが挿入したときに上記接触部と接触する複数の接触凸部、及び隣接する該接触凸部の間に形成した凹部、を備え、
上記接触凸部の幅方向の断面形状が、上記接触部側への突出量のピーク位置から上記接触凸部の幅方向の両端へ向かうにつれて上記接触部側への突出量を減じる形状であり、
上記接触部が、幅方向の両端部を除く部分を構成する中央接触部、及び、幅方向の両端部を構成し、かつ上記中央接触部側から上記接触部の幅方向の端部側へ向かうにつれて上記接触凸部と反対側へ延びる一対の端部構成部、を備え、
上記接触部の幅をＷ１、
上記中央接触部の幅をＷ２、
上記他方のコンタクトの上記接触凸部が位置する部位の幅をＷ３、
一対の上記ピーク間の上記接触凸部の幅方向の距離をＷ４、
一対の上記接触凸部の対向端部と反対側の端部どうしの上記幅方向の距離をＷ５、
としたときに、以下の式（１）（２）（３）（４）が成立することを特徴とするコネクタ。
Ｗ２≧Ｗ４・・・式（１）
Ｗ３≧Ｗ１・・・式（２）
Ｗ２＜Ｗ１・・・式（３）
Ｗ２＜Ｗ５・・・式（４）
【請求項２】
請求項１記載のコネクタにおいて、
一対の上記接触凸部の対向端部と反対側の端部どうしの上記幅方向の距離をＷ５とするとき、以下の式（５）が成立するコネクタ。
Ｗ３＞Ｗ５・・・式（５）
【請求項３】
請求項１記載のコネクタにおいて、
一対の上記接触凸部の対向端部と反対側の端部どうしの上記幅方向の距離をＷ５とするとき、以下の式（６）が成立するコネクタ。
Ｗ３＝Ｗ５・・・式（６）
【請求項４】
請求項１から３のいずれか１項記載のコネクタを備えることを特徴とする携帯端末。
【発明の詳細な説明】
【技術分野】
【０００１】
本発明は、リセプタクルコネクタとプラグコネクタとを備えるコネクタ、及びコネクタを備えた携帯端末に関する。
【背景技術】
【０００２】
プラグコネクタとリセプタクルコネクタを備え、リセプタクルコネクタに設けた差込溝にプラグコネクタを挿入することにより両者を導通させるコネクタの従来技術としては、例えば特許文献１に開示されたものがある（図１５参照）。
特許文献１のプラグコネクタは、プラグインシュレータと、該プラグインシュレータに支持した複数のプラグコンタクト、と、を有している。一方、リセプタクルコネクタは、上記差込溝を有するリセプタクルインシュレータと、差込溝にプラグコネクタが挿入したときに各プラグコンタクトとそれぞれ接触する、リセプタクルインシュレータに支持した複数のリセプタクルコンタクトと、を有している。
リセプタクルコンタクトは、リセプタクルインシュレータに支持される変形不能な固定部と、該固定部から延びる弾性変形可能な撓み部と、を有している。固定部と撓み部は共に直線方向（プラグコネクタの差込溝に対する挿脱方向）に延びており、撓み部が自由状態にあるとき固定部と撓み部は互いに略平行である。さらに撓み部には、リセプタクルインシュレータの差込溝にプラグコネクタを挿入したときにプラグコンタクトと接触する接触部が形成してある。一方、プラグコンタクトは、接触部側に突出しながら直線的（プラグコネクタの差込溝に対する挿脱方向）に延び、かつ両者の間に凹部を形成する一対の接触凸部を備えている。
接触凸部の幅方向の断面形状は、接触部側への突出量のピーク位置から接触凸部の幅方向の両端へ向かうにつれて接触部側への突出量を徐々に減じる形状（略半円形状）である。
一方、リセプタクルコンタクトの接触部の断面形状は矩形形状である。即ち、接触部の表面（プラグコンタクトとの接触面）の幅方向の断面形状は幅方向に延びる直線形状である。
【０００３】
リセプタクルインシュレータの差込溝にプラグコネクタを挿入することにより、リセプタクルコンタクトの接触部に対してプラグコンタクトの一対の接触凸部の上記ピーク位置が接触すると、該ピーク位置と接触部の間で集中荷重が発生する。そのため、リセプタクルインシュレータの差込溝にプラグコネクタが挿入するときに、接触部に対して接触凸部（ピーク位置）が摺接するので、接触凸部（ピーク位置）によって接触部に付着していた微少な異物（埃、ゴミ等）が除去される。従って、異物が除去された接触部に対して接触凸部（ピーク位置）が接触することになるので、リセプタクルコンタクトとプラグコンタクトを確実に電気的に導通させることが可能である。
【先行技術文献】
【特許文献】
【０００４】
【特許文献１】特許第３８６０８２３号公報
【発明の概要】
【発明が解決しようとする課題】
【０００５】
近年、上記タイプのコネクタは、コネクタ全体が小型化しつつコンタクトの多極化が進む傾向にある。そのため隣接するプラグコンタクト同士の間隔及びリセプタクルコンタクト同士の間隔（ピッチ）は狭く、さらにプラグコンタクト及びリセプタクルコンタクトは狭幅化している。
リセプタクルインシュレータの差込溝にプラグコネクタを、正規姿勢から（やや）傾いた状態で完全嵌合位置より手前の中間位置まで挿入・抜去すると、プラグコンタクトの接触凸部がリセプタクルコンタクトの接触部に対して傾斜した状態（非平行状態）で接触することになる。すると、リセプタクルコネクタ（接触部）が狭幅の場合には、接触部の幅方向の一方の端部が一対の接触凸部の間に形成された上記凹部に落ち込み、かつ撓み部が撓みながらプラグコンタクトに対して大きく傾斜（傾斜角β）することになる（図１５参照）。
【０００６】
このように接触部の幅方向の一方の端部が一対の接触凸部に形成された上記凹部に落ち込むと、撓み部の撓み量（プラグコンタクトに対する傾斜角β）が大きくなるので、上記斜め挿入・抜去の際に固定部と撓み部の接続部に大きな負荷が掛かり、この接続部が破損や変形を起こすおそれがある。
さらに、上記中間位置まで挿入した後にプラグコネクタをリセプタクルインシュレータの差込溝に対して所定の完全嵌合位置まで完全嵌合すると、それまでプラグコンタクトに対して大きく傾斜していた撓み部が、プラグコンタクトの接触凸部に対して平行状態で接触凸部に対して接触することになる。しかし、このときに撓み部が大きく変形するので、この際も固定部と撓み部の接続部に大きな負荷が掛かり、この接続部が破損や変形を起こすおそれがある。
【０００７】
本発明の目的は、コンタクトを狭幅化した場合にリセプタクルインシュレータの差込溝にプラグコネクタを正規姿勢から傾いた状態で挿入したり、嵌合状態から斜め方向に抜去したとしても、一方のコンタクトの撓み部が撓みながら一対の接触凸部を備える他方のコンタクトに対して大きく傾くことを抑制することによりコンタクトの変形・破損を防止しつつ接触信頼性を高めることが可能なコネクタ及びコネクタを備えた携帯端末を提供することにある。
【課題を解決するための手段】
【０００８】
本発明のコネクタは、プラグインシュレータ、及び、該プラグインシュレータに支持したプラグコンタクト、を有するプラグコネクタと、該プラグコネクタが直線的な挿脱方向に移動することにより挿脱可能な差込溝を有するリセプタクルインシュレータ、及び、上記差込溝に上記プラグコネクタが挿入したときに上記プラグコンタクトと接触する、上記リセプタクルインシュレータに支持したリセプタクルコンタクト、を有するリセプタクルコネクタと、を備えたコネクタにおいて、上記プラグコンタクトと上記リセプタクルコンタクトの一方が、上記差込溝に上記プラグコネクタが挿入したときに他方のコンタクトと接触する接触部を備え、上記他方のコンタクトが、上記接触部側に突出しながら上記挿脱方向に沿って延び、上記差込溝に上記プラグコネクタが挿入したときに上記接触部と接触する複数の接触凸部、及び隣接する該接触凸部の間に形成した凹部、を備え、上記接触凸部の幅方向の断面形状が、上記接触部側への突出量のピーク位置から上記接触凸部の幅方向の両端へ向かうにつれて上記接触部側への突出量を減じる形状であり、上記接触部が、幅方向の両端部を除く部分を構成する中央接触部、及び、幅方向の両端部を構成し、かつ上記中央接触部側から上記接触部の幅方向の端部側へ向かうにつれて上記接触凸部と反対側へ延びる一対の端部構成部、を備え、上記接触部の幅をＷ１、上記中央接触部の幅をＷ２、上記他方のコンタクトの上記接触凸部が位置する部位の幅をＷ３、一対の上記ピーク間の上記接触凸部の幅方向の距離をＷ４、一対の上記接触凸部の対向端部と反対側の端部どうしの上記幅方向の距離をＷ５、としたときに、以下の式（１）（２）（３）（４）が成立することを特徴としている。
Ｗ２≧Ｗ４・・・式（１）
Ｗ３≧Ｗ１・・・式（２）
Ｗ２＜Ｗ１・・・式（３）
Ｗ２＜Ｗ５・・・式（４）
【００１０】
一対の上記接触凸部の対向端部と反対側の端部どうしの上記幅方向の距離をＷ５とするとき、Ｗ３＞Ｗ５・・・式（５）が成立してもよい。
【００１１】
一対の上記接触凸部の対向端部と反対側の端部どうしの上記幅方向の距離をＷ５とするとき、Ｗ３＝Ｗ５・・・式（６）が成立してもよい。
【００１２】
本発明の携帯端末は、上記コネクタを備えることを特徴としている。
【発明の効果】
【００１３】
本発明のコネクタでは、リセプタクルインシュレータの差込溝にプラグコネクタを挿入するときに、一方のコンタクトの接触部の中央接触部に対して他方のコンタクトの接触凸部（ピーク位置）が摺接するので、接触凸部（ピーク位置）によって接触部（中央接触部）に付着していた微少な異物が除去される。従って、異物が除去された接触部（中央接触部）に対して接触凸部（ピーク位置）が接触することになるので、リセプタクルコンタクトとプラグコンタクトを確実に電気的に導通させることが可能である。
【００１４】
さらに、式（１）を満たしているので、リセプタクルインシュレータの差込溝にプラグコネクタを正規姿勢で挿入した場合は、接触部の中央接触部に対して接触凸部（ピーク位置）を確実に接触させることが可能である。
【００１５】
また、式（２）を満たしているので（一方のコンタクトを狭幅化しているので）、リセプタクルインシュレータの差込溝にプラグコネクタを正規姿勢から（やや）傾いた状態で完全嵌合位置より手前の中間位置まで挿入すると（又は完全嵌合位置から斜め方向に引き抜くと）、他方のコンタクトの接触凸部が一方のコンタクトの接触部に対して傾斜した状態（非平行状態）で接触することになる。すると、（接触凸部の延長方向に見たときに）一方のコンタクトが撓みながら他方のコンタクト（接触凸部）に対して傾斜し、接触部の幅方向の一方の端部が一対の接触凸部の間に形成された上記凹部に落ち込むことがある。
しかし、式（３）を満たしているので（一方のコンタクトに一対の端部構成部を形成可能なので）、この場合は一方のコンタクトの一方の端部構成部が一方の接触凸部に接触することにより、一方のコンタクトの撓み量（他方のコンタクトに対する傾斜角）を抑制できる。
そのため、一方のコンタクトに大きな負荷が掛かり破損や変形を生じるおそれを低減できる。
さらに、一方のコンタクトの撓み量（他方のコンタクトに対する傾斜角）を抑制できるので、上記中間位置まで斜め挿入した後にプラグコネクタをリセプタクルインシュレータの差込溝に対して完全嵌合（完全挿入）することにより、一方のコンタクトが平行状態で他方のコンタクトに接触したときに（接触凸部（ピーク位置）が接触部の中央接触部に接触したときに）、一方のコンタクトに大きな負荷が掛かるおそれが小さい。
さらに式（４）を満たしているので、接触部の幅を狭幅にしつつ、端部構成部の幅寸法を大きくできるので、リセプタクルインシュレータ（差込溝）に対してプラグコネクタを非正規姿勢で接続したときの上記作用効果をより顕著に発揮できるようになる。
【図面の簡単な説明】
【００１６】
【図１】本発明の一実施形態のリセプタクルコネクタの斜視図である。
【図２】リセプタクルコンタクトの側面図である。
【図３】プラグコネクタの斜視図である。
【図４】プラグコンタクトの斜視図である。
【図５】リセプタクルコネクタに対してプラグコネクタを中間位置まで嵌合したときのコネクタの断面図である。
【図６】リセプタクルコネクタにプラグコネクタを完全嵌合したときのコネクタの断面図である。
【図７】図５のVII−VII矢線に沿う断面図である。
【図８】中間位置まで嵌合したときのプラグコンタクトとリセプタクルコンタクトの位置関係を示す図であり、（ａ）はプラグコネクタを正規姿勢で挿入したときの図であり、（ｂ）はプラグコネクタを非正規姿勢で挿入したときの図である。
【図９】リセプタクルコネクタに対してプラグコネクタを非正規姿勢で中間位置まで挿入した場合の図７に相当する断面図である。
【図１０】本発明の第一の変形例の図７に相当する断面図である。
【図１１】本発明の第二の変形例の図７に相当する断面図である。
【図１２】本発明の第三の変形例のプラグ側接触部の断面図である。
【図１３】本発明の第四の変形例のリセプタクル側接触部の断面図である。
【図１４】本発明の第五の変形例のリセプタクル側接触部の断面図である。
【図１５】従来例の図９に相当する断面図である。
【発明を実施するための形態】
【００１７】
以下の本発明の一実施形態について説明する。なお、以下の説明中の前後、左右、及び上下の各方向は図面中の矢印を基準としている。
本実施形態のコネクタ１０は、互いに結合して電気的に接続されるリセプタクルコネクタ１（図１）とプラグコネクタ２（図３）とを備える。例えば、リセプタクルコネクタ１とプラグコネクタ２の一方をＬＣＤ（液晶ディスプレイ）（表示装置）ユニットやＣＣＤ（電荷結合素子）（撮像素子）ユニット側に実装し、他方をこれらのユニットと導通して動作を制御する基板側に実装して、リセプタクルコネクタ１とプラグコネクタ２とを結合することによってユニットと基板とを電気的に接続する。また、本実施形態に係るプラグコネクタ２とリセプタクルコネクタ１は、携帯端末（例えば、携帯電話、タブレット型コンピュータを含むＰＤＡ（Personal Digital Assistant））内における接続や、携帯端末と外部機器との接続に適用することができる。なお、リセプタクルコネクタ１及びプラグコネクタ２は、ＬＣＤユニットのほかに、表示装置として、ＣＲＴ(Cathode Ray Tube)ディスプレイユニット、プラズマディスプレイユニット、有機エレクトロルミネッセント素子ディスプレイユニットにも適用することができる。また、ＣＣＤユニットのほかに、撮像素子として、ＣＭＯＳ（Complementary Metal Oxide Semiconductor）ユニットにも、リセプタクルコネクタ１及びプラグコネクタ２を適用することができる。
【００１８】
図１に示すリセプタクルコネクタ１は、絶縁部材である合成樹脂の射出成形品からなり、かつプラグコネクタ２が挿脱される差込溝３１が設けられたリセプタクルインシュレータ３と、差込溝３１の両側にそれぞれ配設された複数のリセプタクルコンタクト４と、を備える。
【００１９】
図２に示すリセプタクルコンタクト４は、スタンピング成形により形成された帯状の金属材からなるものである。リセプタクルコンタクト４は、リセプタクルインシュレータ３の前後の壁に固定された略Ｌ字状の保持部４１と、保持部４１の内側部分（リセプタクルインシュレータ３の壁の上面に位置する部分）から延びる逆Ｓ字状の撓み部４２と、保持部４１の外側部分（リセプタクルインシュレータ３の外側面において露出する部分）の下端から突出する端子部４３と、を連続一体に備えている。保持部４１の上下方向に延びる部分（外側部分）は固定部４１ａを構成している。また撓み部４２の保持部４１から垂下する部分の上端部には係止突部４１ｂが突設してある。端子部４３は例えば回路基板の導電パターンに半田固定される。
【００２０】
このリセプタクルコンタクト４は、基材（例えばりん青銅、ベリリウム銅、コルソン銅、チタン銅）上に、下地めっき（例えばニッケルめっき）を施した後に、仕上げめっき（例えば金めっき）を施して作製する。リセプタクルコンタクト４の板厚は、コネクタ１０の小型化、低背化を考慮し、ばね設計や加工性の観点から、例えばコネクタ１０のピッチが０．３〜０．５ｍｍの場合には、０．０５〜０．１５ｍｍであることが好ましい。このときの下地めっきは、０．５μｍ〜４μｍであることが好ましい。これは、０．５μｍ未満であると下地めっきとしての効果が得られず、４μｍを超えるとプラグコネクタ２との摺接時の変形によってクラックが生じやすくなるためである。
【００２１】
撓み部４２の係止突部４１ｂと前後方向に対向する部位には、係止突部４１ｂ側に向かって突出するリセプタクル側接触部４４（接触部）が形成されている。さらに、図７に示すように、このリセプタクル側接触部４４は、幅方向（左右方向）の両端部（左右両端部）を除く部分を構成する中央接触部４５と、幅方向の両端部を構成しかつ中央接触部４５側からリセプタクル側接触部４４の幅方向の端部側へ向かうにつれて前方へ延びる一対の端部構成部４６と、を備えている。中央接触部４５及び端部構成部４６の表面は共に平面である。即ち、中央接触部４５の表面の断面形状はリセプタクル側接触部４４の幅方向（左右方向）に延びる直線状であり、端部構成部４６の表面の断面形状は中央接触部４５に対して傾斜する直線形状である。
【００２２】
図３に示すプラグコネクタ２は、絶縁部材である合成樹脂のインサート成形品からなる略直方体形状のプラグインシュレータ５と、それぞれ帯状の金属部材からなりプラグインシュレータ５の長手方向（左右方向）に沿った両側にそれぞれリセプタクルコンタクト４と同じピッチで配設された複数のプラグコンタクト６とを備える。
【００２３】
図４に示すプラグコンタクト６は、スタンピング成形により形成された帯状の金属材からなるものである。プラグコンタクト６は、上下方向に延びるプラグ側接触部６１と、プラグ側接触部６１の上端から略水平方向に延設された端子部６２ａと、プラグ側接触部６１の下端から延びる側面視略Ｌ字形の保持部６２ｂと、を有する。保持部６２ｂの上端近傍部にはプラグ側接触部６１と反対側に向かって突出する抜止突部６２ｃが形成してある。保持部６２ｂの表面（プラグ側接触部６１と反対側の面）とプラグ側接触部６１の表面（保持部６２ｂと反対側の面）の前後方向距離は、撓み部４２が自由状態にあるときの係止突部４１ｂとリセプタクル側接触部４４との間の前後方向距離より短い。プラグ側接触部６１はプラグインシュレータ５の前後の壁の内面に固定されており、保持部６２ｂはプラグインシュレータ５の前後の壁の下面及び外面に固定されている。端子部６２ａは例えば回路基板の導電パターンに半田固定される。
【００２４】
このプラグコンタクト６は、基材（例えばリン青銅）上に、下地めっき（例えばニッケルめっき）を施した後に、仕上げめっき（例えば金めっき）を施して作製する。プラグコンタクト６の板厚は、コネクタ１０の小型化、低背化を考慮し、ばね設計や加工性の観点から、例えばコネクタ１０のピッチが０．３〜０．５ｍｍの場合には、０．０５〜０．１５ｍｍであることが好ましい。
【００２５】
また、プラグ側接触部６１は、差込溝３１にプラグコネクタ２を挿脱するときにリセプタクルコンタクト４のリセプタクル側接触部４４が摺接する面に、リセプタクル側接触部４４側（前側のプラグコンタクト６は後方、後側のプラグコンタクト６は前方）に向けて突出する突起部６６と、端部の一方が突起部６６と一体に形成されてプラグコネクタ２の挿脱方向に沿って延び、かつリセプタクル側接触部４４側に向けて突出する２本の接触凸部６８、６９と、を一体的に有している。さらに接触凸部６８と接触凸部６９の間には上下方向に延びる凹部６３が形成される。図３、図７から明らかなように、プラグインシュレータ５の内側面には上下方向に沿って延びる凹溝コンタクト取付溝５ａが複数（プラグコンタクト６と同数）凹設してあり、この凹溝コンタクト取付溝５ａに各プラグ側接触部６１が嵌合固定されている。凹溝コンタクト取付溝５ａとプラグ側接触部６１の左右幅は同一であるが、凹溝コンタクト取付溝５ａの前後寸法（深さ）はプラグ側接触部６１の前後幅（厚み）より大きい。図示するように突起部６６の幅（左右寸法）は接触凸部６８、６９の幅より広い。この接触凸部６８、６９の、プラグコネクタ２の挿脱方向直交断面は、リセプタクル側接触部４４側に円弧が存在する半円形である。即ち、図７に示すように、接触凸部６８、６９の断面形状は、幅方向（左右方向）の中央部にリセプタクル側接触部４４側への突出量が最大となるピーク位置６８ａ、６９ａが位置し、ピーク位置６８ａ、６９ａから接触凸部６８、６９の幅方向の両端へ向かうにつれてリセプタクル側接触部４４側への突出量を徐々に減じる形状である。また、接触凸部６８、６９の正面形状は、対向する長辺が互いに平行（上下方向に延びる）な略長方形形状である。接触凸部６８、６９は、この形状と同一のくぼみ形状を備えた金型をプラグ側接触部６１の一面に押圧することにより、接触凸部６８、６９を設けない部分を圧潰して形成する。
【００２６】
プラグ側接触部６１から突出する接触凸部６８、６９の高さは、例えばコネクタ１０のピッチが０．３〜０．５ｍｍの場合は、０．０１〜０．１ｍｍとすることが好ましい。これは、高さが０．０１ｍｍ未満となると、接触凸部６８、６９により異物除去効果が低下し、０．１ｍｍを超える接触凸部６８、６９を、プラグ側接触部６１の裏面を押圧して形成しようとすると材料が伸びきらずにクラックや破断が発生するおそれがあるからである。また、異物除去機能及び加工性の観点から見ると、接触凸部６８、６９の高さは０．０２〜０．０５ｍｍであることがさらに好ましい。接触凸部６８、６９形成時のクラックや破断を予防するには、接触凸部６８、６９の形状と同一のくぼみ形状を備えた金型をプラグ側接触部６１の一面（接触凸部６８、６９を設ける面）に押圧することにより、接触凸部６８、６９を形成することが好ましい。
【００２７】
接触凸部は２本以外の複数でもよい。また、接触凸部を複数設ける場合は、プラグコネクタ２の挿脱方向と交差する方向において並設すると異物除去の効果が高まるため好ましい。さらに接触凸部６８、６９は、突起部６６と一体に形成された一方の端部から他方の端部に向かうにしたがって、差込溝３１へプラグコネクタ２を挿脱するときにリセプタクル側接触部４４から離間するように傾斜させて（側面視において上下方向に対して傾斜するように）もよい。接触凸部６８、６９の正面形状は、対向する長辺が互いに平行な略長方形形状のほか、長辺が徐々に接近する略三角形形状とすることもできる。
【００２８】
リセプタクルコンタクト４のリセプタクル側接触部４４、プラグコンタクト６のプラグ側接触部６１、及びプラグインシュレータ５のコンタクト取付溝５ａの断面形状の寸法には以下の関係が成立している。
即ち、
リセプタクル側接触部４４の幅（左右寸法）をＷ１、
中央接触部４５の幅をＷ２、
プラグ側接触部６１（コンタクト取付溝５ａ）の幅をＷ３、
ピーク位置６８ａとピーク位置６９ａの間の左右方向距離をＷ４、
接触凸部６８と接触凸部６９の対向端部と反対側の端部（左側の接触凸部６８の左端と右側の接触凸部６９の右端）どうしの幅方向の距離（左右方向距離）をＷ５、
としたときに、以下の式（１）（２）（３）が成立する。
Ｗ２＞Ｗ４・・・式（１）
Ｗ３＞Ｗ１・・・式（２）
Ｗ２＜Ｗ１・・・式（３）
【００２９】
以上の構成によれば、図５に示すように、（固定部４１ａが上下方向を向いた）リセプタクルコネクタ１の差込溝３１に対してプラグコネクタ２を正規姿勢（プラグコネクタ２のプラグ側接触部６１が上下方向を向く姿勢。図８（ａ）参照）で挿脱すると、プラグコンタクト６の抜止突部６２ｃと突起部６６がリセプタクルコンタクト４の係止突部４１ｂとリセプタクル側接触部４４に接触して、係止突部４１ｂとリセプタクル側接触部４４の前後間隔を広げる方向に撓み部４２を弾性変形させる（撓ませる）。そしてリセプタクルコンタクト４のリセプタクル側接触部４４の中央接触部４５に対して、プラグコンタクト６の突起部６６及び接触凸部６８、６９がそれぞれ摺接する。すなわち、特にプラグコネクタ２の挿入時には、接触凸部６８、６９よりも幅の広い突起部６６が広い範囲で中央接触部４５に摺接して中央接触部４５に付着していた微少な異物（例えば粉塵、フラックス等）を除去し、その後に接触凸部６８、６９のピーク位置６８ａ、６９ａが中央接触部４５に対して強い集中荷重で摺接することにより、中央接触部４５に付着していた異物（例えば油脂等の皮膜）をさらに除去することができる。このため、中央接触部４５に付着していた異物を確実かつ容易に除去することができる。
【００３０】
また、リセプタクル側接触部４４がコンタクト取付溝５ａ（プラグ側接触部６１）より狭幅なので（式（２）を満たしているので）、プラグ側接触部６１がコンタクト取付溝５ａ内に位置していても、リセプタクル側接触部４４（中央接触部４５、端部構成部４６）は、プラグインシュレータ５（コンタクト取付溝５ａの左右の側縁部）に衝突することなく、プラグ側接触部６１（突起部６６、接触凸部６８、６９）と接触可能である。
さらに、リセプタクル側接触部４４の中央接触部４５が平面でプラグ側接触部６１と摺接するため、プラグコンタクト６（プラグ側接触部６１の上下方向に延びる中心線）とリセプタクルコンタクト４（固定部４１ａの上下方向に延びる中心線）とが左右方向に若干位置ずれしたとしても、中央接触部４５はプラグ側接触部６１に対して確実に接触する。
さらに式（１）を満たしているので（Ｗ２＞Ｗ４なので）、リセプタクルインシュレータ３の差込溝３１にプラグコネクタ２を正規姿勢で挿入した場合は、プラグコンタクト６（プラグ側接触部６１の上下方向に延びる中心線）とリセプタクルコンタクト４（固定部４１ａの上下方向に延びる中心線）とが左右方向に若干位置ずれしたとしても、リセプタクル側接触部４４の中央接触部４５に対して接触凸部６８、６９（ピーク位置６８ａ、６９ａ）が確実に接触する。
そのため、リセプタクルコンタクト４とプラグコンタクト６の間でばらつきが少なく安定した接触抵抗を得ることができる。
【００３１】
さらに、リセプタクルコンタクト４（のリセプタクル側接触部４４）が狭幅なので（式（２）を満たしているので）、リセプタクルインシュレータ３の差込溝３１にプラグコネクタ２を上記正規姿勢から（やや）傾いた非正規姿勢（図８（ｂ）参照）で挿入すると、完全嵌合位置より手前の中間位置（図５の位置）においてプラグコネクタ２の接触凸部６８、６９がリセプタクル側接触部４４に対して傾斜した状態（非平行状態）で接触することになる。すると、図９に示すように（平面視で見たときに）、撓み部４２が撓みながらプラグ側接触部６１（及び固定部４１ａ）に対して傾斜し、リセプタクル側接触部４４の幅方向の一方の端部（図８（ｂ）では右端部）が一対の接触凸部６８、６９の間に形成された凹部６３に落ち込むことがある。
しかし、リセプタクル側接触部４４に端部構成部４６を形成しているので（式（３）を満たしているので）、この場合はリセプタクル側接触部４４の一方の端部構成部４６（図９では右側の端部構成部４６）が一方の接触凸部（図９では接触凸部６９）に接触することにより、撓み部４２の撓み量（プラグ側接触部６１に対する傾斜角）を抑制できる（このときの撓み部４２の固定部４１ａ（及びプラグ側接触部６１）に対する傾斜角αは、図１５の傾斜角βより小さい）。そのため、リセプタクルコンタクト４（の撓み部４２と保持部４１の接続部）に大きな負荷が掛かるおそれを低減できる。
さらに、撓み部４２の撓み量（プラグ側接触部６１に対する傾斜角）が小さい場合は、中間位置まで挿入した後にプラグコネクタ２をリセプタクルインシュレータ３の差込溝３１に対して完全嵌合（完全挿入）することにより（図６）、プラグコネクタ２の接触凸部６８、６９がリセプタクル側接触部４４に対して平行状態で接触したときに（接触凸部６８、６９（ピーク位置６８ａ、６９ａ）がリセプタクル側接触部４４の中央接触部４５に接触したときに）、リセプタクルコンタクト４に大きな負荷が掛かるおそれが小さい。
なお、完全嵌合状態にあるコネクタ１０のプラグコネクタ２を上記正規姿勢から（やや）傾いた非正規姿勢でリセプタクルインシュレータ３の差込溝３１から引き抜くときも、コネクタ１０は挿入時と同様の作用効果を発揮する。
【００３２】
また、リセプタクル側接触部４４のうちプラグ側接触部６１と摺接する部分（中央接触部中央接触部４５及び端部構成部４６）は、平面であるため、精度良く加工することができる。一方、プラグ側接触部６１に接触凸部６８、６９を設けることによって、プラグコンタクト６を薄くしたとしても、プラグコンタクト６に対するリセプタクルコンタクト４の接点を確保することができる。
【００３３】
以上、本発明を上記実施形態に基づいて説明したが、本発明は上記実施形態に限定されるものではなく、様々な変形を施しながら実施可能である。
例えば、式（１）（２）を、
Ｗ２≧Ｗ４・・・式（１）
Ｗ３≧Ｗ１・・・式（２）
に変更してもよい。
式（１）がＷ２＝Ｗ４を含んでいるものの、図１０に示すように、プラグ側接触部６１（接触凸部６８、６９を除いた部分）の表面がプラグインシュレータ５の表面と同一平面上に位置していれば（突起部６６、接触凸部６８、６９がコンタクト取付溝５ａの外側に位置していれば）、リセプタクル側接触部４４（中央接触部４５、端部構成部４６）は、プラグインシュレータ５（コンタクト取付溝５ａの左右の側縁部）に衝突することなく、プラグ側接触部６１（突起部６６、接触凸部６８、６９）と接触可能である。
【００３４】
また、プラグコンタクト６のプラグ側接触部６１を図１１に示す態様に変更してもよい。
このプラグ側接触部６１は、一方（図１１では左側）の接触凸部６８の幅方向（左右方向）の外側端部（図１１では左端部）がプラグ側接触部６１の左端部と同じ位置に位置しており、他方（図１１では右側）の接触凸部６８の幅方向（左右方向）の外側端部（図１１では右端部）がプラグ側接触部６１の右端部と同じ位置に位置している。即ち、Ｗ３＝Ｗ５となっている。
この場合も以下の式（１）（２）（３）
Ｗ２≧（＞）Ｗ４・・・式（１）
Ｗ３（＝Ｗ５）≧（＞）Ｗ１・・・式（２）
Ｗ２＜Ｗ１・・・式（３）
を満たすことにより上記実施形態の１０と同様の作用効果を発揮可能である。
【００３５】
また、プラグ側接触部６１（プラグコンタクト６）が図１〜図９の実施形態と図１０、図１１の変形例のいずれの形状であっても、接触凸部６８、６９の断面形状は、幅方向（左右方向）の中央部にリセプタクル側接触部４４側への突出量が最大となるピーク位置が位置し、ピーク位置から接触凸部６８、６９の幅方向の両端へ向かうにつれてリセプタクル側接触部４４側への突出量を徐々に減じる形状であれば、半円形とは異なる形状であってもよい。
例えば、図１２に示すように、リセプタクル側接触部４４側に頂点を有する略三角形としてもよい。
また、リセプタクル側接触部４４側に任意の曲率半径を備える曲線を配した曲線形状とすることもできる。
【００３６】
また、上記（１）（２）（３）に加えて、以下の式（４）が成立するようにコネクタ１０を構成してもよい。
Ｗ２＜Ｗ５・・・式（４）
このようにすると、リセプタクル側接触部４４（リセプタクルコンタクト４）の幅を狭幅にしつつ、端部構成部４６の左右寸法を大きくできるので、リセプタクルインシュレータ３（差込溝３１）に対してプラグコネクタ２を上記非正規姿勢で接続したときの上記作用効果をより顕著に発揮できるようになる。
【００３７】
さらに図１３に示すように、中央接触部４５の代わりに断面円弧形（または略円弧形）の中央接触部４５’を備えるリセプタクル側接触部４４’を撓み部４２に形成してもよい。
また図１４に示すように、端部構成部４６の代わりに断面円弧形（または略円弧形）の端部構成部４６’を備えるリセプタクル側接触部４４’’を撓み部４２に形成してもよい。
また図１３の中央接触部４５’と図１４の端部構成部４６’を組み合わせてもよい。但し、この場合は中央接触部４５’と端部構成部４６’の曲率を異ならせる。
【００３８】
なお、本実施形態においてリセプタクルコンタクト４の機能とプラグコンタクト６の機能とを入れ替えてもよい。つまり、リセプタクル側接触部４４（撓み部４２）と同様の構成をプラグコンタクト６に設けるとともに、プラグ側接触部６１（突起部６６、接触凸部６８、６９）と同様の構成をリセプタクルコンタクト４の非変形部（撓まない部分）に設けてもよい。
【符号の説明】
【００３９】
１    リセプタクルコネクタ
２    プラグコネクタ
３    リセプタクルインシュレータ
４    リセプタクルコンタクト
５    プラグインシュレータ
５ａ  コンタクト取付溝
６    プラグコンタクト
１０  コネクタ
３１  差込溝
４１  保持部
４１ａ  固定部
４１ｂ  係止突部
４２  撓み部
４３  端子部
４４  リセプタクル側接触部（接触部）
４５  中央接触部
４６  端部構成部
６１  プラグ側接触部
６２ａ  端子部
６２ｂ  保持部
６２ｃ  抜止突部
６３  凹部
６６  突起部
６７  先端部
６８  接触凸部
６８ａ  ピーク位置
６９  接触凸部
６９ａ  ピーク位置
７０  段部
【要約】
【課題】コンタクトを狭幅化した場合にリセプタクルインシュレータの差込溝にプラグコネクタを正規姿勢から傾いた状態で挿入したり、嵌合状態から斜め方向に抜去したとしても、一方のコンタクトの撓み部が撓みながら一対の接触凸部を備える他方のコンタクトに対して大きく傾くことを抑制することによりコンタクトの変形・破損を防止しつつ接触信頼性を高めることが可能なコネクタ及びコネクタを備えた携帯端末を提供する。
【解決手段】一方のコンタクト４の接触部４４の幅をＷ１、中央接触部４５の幅をＷ２、他方のコンタクト６の接触凸部６８、６９が位置する部位の幅をＷ３、一対の接触突部のピーク間の接触凸部の幅方向の距離をＷ４、としたときに、Ｗ２≧Ｗ４・・・式（１）、Ｗ３≧Ｗ１・・・式（２）、Ｗ２＜Ｗ１・・・式（３）が成立することを特徴とするコネクタ。
【選択図】図９【図１】
0005404957.tif 000002
【図２】
0005404957.tif 000003
【図３】
0005404957.tif 000004
【図４】
0005404957.tif 000005
【図５】
0005404957.tif 000006
【図６】
0005404957.tif 000007
【図７】
0005404957.tif 000008
【図８】
0005404957.tif 000009
【図９】
0005404957.tif 000010
【図１０】
0005404957.tif 000011
【図１１】
0005404957.tif 000012
【図１２】
0005404957.tif 000013
【図１３】
0005404957.tif 000014
【図１４】
0005404957.tif 000015
【図１５】
0005404957.tif 000016